(57)【要約】【課題】ベルマウスとモータベース部とを一体成形した室外機において、製造工数を削減する構成を提供することにある。また、通風抵抗を増加させず、強度を高めることにある。【解決手段】前面板の一部として形成されたファンリングと、室外ファンを駆動する送風モータが固定されたモータベースであって、前面板の一部として形成されたモータベースと、ファンリングとモータベースとを接続するモータステーであって、前面板の一部として形成され、送風ファンの下流側に配設されたモータステーを有する室外機。【選択図】図１
2007263415.tif 000002
【特許請求の範囲】
【請求項１】
前面板と、天板と、側板と、ベースとを備えた室外機であって、
その内側に室外ファンを配設するファンリングであって、前記前面板の一部として形成されたファンリングと、
前記室外ファンを駆動する送風モータが固定されたモータベースであって、前記前面板の一部として形成されたモータベースと、
前記ファンリングと前記モータベースとを接続するモータステーであって、前記前面板の一部として形成され、前記送風ファンの下流側に配設されたモータステーを有する室外機。
【請求項２】
前面板と、天板と、側板と、ベースとを備えた室外機であって、
その内側に室外ファンを配設するファンリングであって、前記前面板の一部として形成されたファンリングと、
前記室外ファンを駆動する送風モータが固定されたモータベースであって、前記前面板の一部として形成されたモータベースと、
前記ファンリングと前記モータベースとを接続するモータステーであって、前記前面板の一部として形成されたモータステーと、を有し、
前記モータステーには、前記前面板の一部として形成された補強部であって、前記モータステーを補強する補強部が配設されている室外機。
【請求項３】
請求項２において、
前記ファンリングおよび前記補強部は絞り加工によって形成され、前記補強部の絞り加工の深さよりも、前記ファンリングの絞り加工の深さの方が深いことを特徴とする室外機。
【請求項４】
請求項２において、
前面から見て、前記モータステーの裏側の部分に形成された前記ファンリングの切欠部に、前記ファンリングを補完するリング部材を配設したことを特徴とする室外機。
【請求項５】
請求項４において、
前記モータステーの補強部および前記ファンリングを形成する際に生じる前記前面板の変形を逃す空孔を、前記切欠部の周辺に配設したことを特徴とする室外機。
【発明の詳細な説明】
【技術分野】
【０００１】
本発明は室外機に関し、特に室外機の送風モータの支持に関する。
【背景技術】
【０００２】
空気調和機の室外機には圧縮機，室外熱交換器，室外送風機などが搭載される。その通風構造は、騒音や小型化を考慮して、プロペラ形の送風ファンの上流側に室外熱交換器を配し、下流側に送風機カバーを設けている。この場合、送風モータは送風ファンを駆動するためプロペラファンの中心部となる気流の真中に置かれるのが通常である。このため、この送風モータを支持する構造として、なるべく気流の邪魔にならないような構造であるとともに、充分な支持強度が得られ、且つ、製作が容易な構造が求められている。
【０００３】
この種の従来技術として、特許文献１，２が知られている。
【０００４】
特許文献１は、プロペラファンからの通風を導くベルマウスと、ファンモータを支持するモータベース部とを一体成形した空気調和機について述べている。モータとファンを支えるための支持部がベルマウスのフランジ先端からファンを跨いで伸びており、支持部の先にモータベース部が配設されている。ここで「跨いで」とは、室外機の前面とモータベース部との間にファンが配設されるような位置関係を表すものである。
【０００５】
特許文献２は、ファンガイドの通風孔部にファンガイドと一体に絞り出した構造の駆動モータ取付足を有し、この取付足に駆動モータが取付けられる構造とした空気調和機について述べている。
【０００６】
【特許文献１】特開平１０−３００１３０号公報
【特許文献２】実公昭６１−４０９５９号公報
【発明の開示】
【発明が解決しようとする課題】
【０００７】
特許文献１では、ベルマウスのフランジ先端からモータベース部までの距離が長くなり、支持部等に大きなモーメントがかかる。
【０００８】
特許文献２では、モータとファンを支えるための取付足がリング状立上げ部先端からファンを跨いで伸びている。このため、リング状立上げ部先端からモータ取付部までの距離が長くなり、取付足（支持部）等に大きなモーメントがかかる。
【０００９】
この大きなモーメント等に対応するため、モータとファンを支えるための支持部・取付足等の強度を大きくしなければならない。コストを考慮するならば、寸法を大きくするか、支持部・取付足の数を増やすことが必要と考えられる。このように寸法が大きくなり、または、数が多いと通風の妨げになり、つまり通風抵抗が増加することになる。
【００１０】
また、フロントキャビネット（或いはファンガイド）の平坦部からモータベース部（或いは取付部）迄の寸法は、ファン、場合によってはモータが収納される必要があるので、大きく取る必要がある。この収納形状を絞りによって確保するとすれば、板材を厚く取らなければならず、材料を多く必要とする。絞り深さを大きくすると、薄い金属板では材料が足りなくなり、絞り成形ができなくなるからである。
【００１１】
本発明が解決しようとする課題は、ベルマウスとモータベース部とを一体成形した室外機において、製造工数を削減する構成を提供することにある。また、通風抵抗を増加させず、強度を高めることにある。
【課題を解決するための手段】
【００１２】
本発明が解決しようとする課題は、前面板と、天板と、側板と、ベースとを備えた室外機であって、その内側に室外ファンを配設するファンリングであって、前記前面板の一部として形成されたファンリングと、前記室外ファンを駆動する送風モータが固定されたモータベースであって、前記前面板の一部として形成されたモータベースと、前記ファンリングと前記モータベースとを接続するモータステーであって、前記前面板の一部として形成され、前記送風ファンの下流側に配設されたモータステーを有することにより達成される。
【００１３】
また、本発明が解決しようとする課題は、前面板と、天板と、側板と、ベースとを備えた室外機であって、その内側に室外ファンを配設するファンリングであって、前記前面板の一部として形成されたファンリングと、前記室外ファンを駆動する送風モータが固定されたモータベースであって、前記前面板の一部として形成されたモータベースと、前記ファンリングと前記モータベースとを接続するモータステーであって、前記前面板の一部として形成されたモータステーと、を有し、前記モータステーには、前記前面板の一部として形成された補強部であって、前記モータステーを補強する補強部を配設することにより達成される。
【００１４】
また、前記ファンリングおよび前記補強部は絞り加工によって形成され、前記補強部の絞り加工の深さよりも、前記ファンリングの絞り加工の深さの方が深いように構成することができる。
【００１５】
また、前面から見て、前記モータステーの裏側の部分に形成された前記ファンリングの切欠部に、前記ファンリングを補完するリング部材を配設しても良い。
【００１６】
また、前記モータステーの補強部および前記ファンリングを形成する際に生じる前記前面板の変形を逃す空孔を、前記切欠部の周辺に配設しても良い。
【発明の効果】
【００１７】
本発明によれば、通風抵抗を増加させず、強度を高めた構成を得ることができる。また、材料を節約できる。また、製造工数を削減できる。
【発明を実施するための最良の形態】
【００１８】
以下、本発明の空気調和機の一実施例について図を用いて説明する。
【００１９】
図１は空気調和機の構成図である。図２は図１の室外機の正面図である。図３は図２の室外機の送風開口部の打抜展開図である。図４は図２の室外機の分解斜視図である。図５は図２の室外機の断面図である。図６は図３のモータステーの根元部拡大図である。図７は図６のＡＡ断面図である。図８は図７の切欠部に取付けるリング部材である。
【００２０】
まず、空気調和機の全体構成を、図１を用いて説明する。
【００２１】
図１において、符号１で総括的に示すのは空気調和機であり、室内機２と室外機６を接続配管８でつなぎ、付属のリモコン５から運転に必要な信号を受ける等して、室内を空気調和する。室内機２は筐体２１に室内熱交換器，室内送風機，露受皿等を取付け、化粧枠２３で覆い、化粧枠２３の前面に前面パネル２５を取付けた構成になっている。化粧枠
２３には室内空気を吸い込む空気吸込口２７と、温湿度が調和された空気を吹き出す空気吹出口２９とが上下に配設されている。
【００２２】
室内機２は、電装品ボックス内部に制御基板（図示せず）を備え、該制御基板にマイコンが設けられる。該マイコンは室内温度センサ，室内湿度センサ等の各種センサ（図示せず）から信号を受け、また、リモコン５からの操作信号を受光部３９６で受け、室外機６との通信を司るなど或いは室内送風機，風向板等の制御を行うなど室内機２を統括して制御する。なお、このときの運転モードなどが表示部３９７で分かるようになっている。
【００２３】
室外機６は、土台となるベース６１（図２）に圧縮機（図示せず），室外熱交換器７３（図４），室外送風機６３（図４，図５）を搭載し、外箱６２（図４）で覆われる。室外機６に設けられた配管接続バルブ（図示せず）に室内機２からの接続配管８を接続している。
【００２４】
この空気調和機１を運転するときには、電源に接続してリモコン５を操作し、所望の冷房，除湿，暖房等の運転を行う。
【００２５】
冷房等の運転の場合、リモコン５から運転操作の信号がなされると、図示しないマイコンは、リモコン５からの操作信号または自動運転が設定されていれば各種センサからの情報に基づいて冷房等の運転モードを決定する。
【００２６】
次に、室外機６の制御部（図示せず）に決定した運転モードに応じた運転信号が送られ、室内機２からの指示に従い、圧縮機，送風モータ６３３等を制御し、圧縮機からの冷媒を冷凍サイクルに循環させると共に、室外空気吸込部から室外熱交換器７３に室外空気を流通させ、吹出開口６２１ｊから当該空気を吹き出す。室内機２では、決定した運転モードに従って室内送風機を駆動し、空気吸込口２７から室内熱交換器３３に室内空気を流通させ、室内熱交換器３３により空調された空気を空気吹出口２９から吹き出す。このようにして冷房等の運転が行なわれる。
【００２７】
室外機６について説明する。
【００２８】
室外機の形状は設置や取扱の容易性から箱型が多い。この室外機に要求されるプロペラファンの送風構造としては、室外熱交換器とプロペラファンとの間を負圧に保つための外箱と、性能を安定させ、無効な逆流を少なくするファンリングが必須である。このような構造を得るために、箱の一面に通風用の大きな孔を開けたとすると、その部の材料が無駄になる。また、送風モータを支持するモータベースやモータステーが別に必要となる。従って、通風用の大きな孔に相当する外箱の一面となる板材から、ファンリング，モータベース，モータステーを一体に成形することができれば、材料を効率的に利用することができる。
【００２９】
外箱６２は、図４に示すように主に前面板６２１，天板６２２，側面板６２３からなり、室外熱交換器７３に対向する外面に室外空気吸込部が設けられ、室外ファン６３１に対向する前面板６２１に吹出開口６２１ｊが設けられ、吹出開口６２１ｊを覆うように送風機カバー６３５が設けられている。この送風機カバー６３５は、自在に空気の流通ができ、静圧を回収する機能もある。また、中心部にはショートサーキット防止用の邪魔板が配設されている。従って、その裏面に送風モータ６３３，モータベース６２１ａ等を位置させることで、スペースを有効に活用することができる。
【００３０】
室外ファン６３１は、室外熱交換器７３が上流側に、吹出開口６２１ｊが下流側になるように回転駆動され、上述のように室外空気を室外熱交換器７３に流通させる。この室外ファン６３１は送風モータ６３３の軸に取り付けられ、送風モータ６３３はモータベース６２１ａに螺子等により固定されている。モータベース６２１ａは４本のモータステー
６２１ｃで前面板６２１に連結されている。前面板６２１からは、室外ファン６３１の外周でモータ軸方向にファンリング６２１ｅが４箇所で立ち上がっている。このファンリング６２１ｅ，モータステー６２１ｃ及びモータベース６２１ａで囲まれた開口４個が室外ファン６３１の吹出開口６２１ｊを構成している。
【００３１】
図３を参照して吹出開口６２１ｊについて説明する。この吹出開口６２１ｊを形成するときには、先ず、平板の状態で吹出開口部の形状を破線のように打ち抜いて孔６２１ｘを形成する。この６２１ｆで指示されている部分はファンリング先端となる。
【００３２】
６２１ａはモータベース、６２１ｃはモータステー、６２１ｅはファンリング部を示している。モータベース６２１ａには補強フランジ部６２１ｂ、モータステー６２１ｃには補強フランジ部６２１ｄが形成され、ファンリング６２１ｅからモータステー６２１ｃへの移行部６２１ｍにも補強フランジ部６２１ｎが形成されている。
【００３３】
これらの補強フランジ部は大略通風方向に平行に形成され、互いに連結されてモータベース６２１ａの補強フランジ部６２１ｂからモータステー６２１ｃの補強フランジ部621d，移行部（モータステー６２１ｃとファンリング６２１ｅの間の部分）６２１ｍの補強フランジ部６２１ｎ，ファンリング６２１ｅ，反対側の移行部６２１ｍ′の補強フランジ部６２１ｎ′，隣のモータステー６２１ｃ′の補強フランジ部６２１ｄ′、そして元々の補強フランジ部６２１ｂへとつながり、一周して略扇形の開口を形成している。
【００３４】
これで補強フランジ部およびファンリングを絞り加工して、その機能を発揮する補強フランジ部とファンリングを形成する。従って補強フランジ部は「フランジ」に囚われず、その機能を有する限りにおいて補強部と言い得る。フランジで形成する場合には、前面板一枚から形成することができるので、安価，簡易に形成し得る。
【００３５】
絞り加工の深さとしては、補強フランジ部６２１ｂと補強フランジ部６２１ｄとファンリング６２１ｅとでは、ファンリング６２１ｅの絞り加工の深さが他の補強フランジ部よりも深い。
【００３６】
これは、補強フランジ部には主にモータベース６２１ａ，モータステー６２１ｃの補強機能しかないのに対し、ファンリング６２１ｅは補強機能の他に主に風を案内する機能を持つため或る程度の長さ（ファンモータ軸方向長さ）が必要だからである。ファンリング６２１ｅがベルマウスを構成すれば、より好ましい形態となる。更に、補強フランジ部
６２１ｄは強度を高める上で必要であるが、補強フランジ部６２１ｂは不要なら形成する必要はない。但し、安全上、或いは板の振動を抑制するため等に補強フランジ部６２１ｂを形成した方が良いことは言うまでもない。
【００３７】
上記の一周で略扇形に形成される吹出開口６２１ｊが室外ファン６３１の軸心を中心にして４個形成され、室外ファン６３１により吸込まれた室外空気が図３の紙面上奥側から室外熱交換器７３を通って、この吹出開口６２１ｊを流れ、送風機カバー６３５を通って、図３の紙面上手前側の室外機６外に吹き出す。
【００３８】
ファンリング６２１ｅとなる部分とモータステー６２１ｃとなる部分との間の移行部
６２１ｍの補強フランジ部６２１ｎとなる部分に、切欠部６２１ｐが設けられ、また、モータステー６２１ｃの中心線の延長上に空孔６２１ｈを設けている。もう少し説明を加えると、この空孔６２１ｈは、モータステー６２１ｃの付根部のうちファンリング６２１ｅ側で該ファンリング６２１ｅの径よりも径が大きい位置に設けられており、該モータステー６２１ｃの長手方向の中心線の延長部を含んだ空孔である。
【００３９】
空孔６２１ｈは、孔６２１ｘ打ち抜き後の絞り加工によって移行部６２１ｍの補強フランジ部６２１ｎを成形するために設けられている。６２１ｎ付近では補強フランジ部621dとファンリング６２１ｅの双方が絞り加工されるため特に大きな応力が働く。モータステーのファンリング側付根部は、素材とした一枚の金属板からの成型加工時において、モータステーにより変形が抑制される。他のファンリング外周部に比べて、６２１ｎ付近では特に内部応力が大きくなって、材料の伸びが大きく、不規則な破断が生じ易い。
【００４０】
この場所に予め空孔６２１ｈがあれば、空孔の変形で素材の逃げを確保でき、この周辺の金属板素材が大きな応力で伸ばされて不規則に破断するのを防ぐことができる。逆に言えば、この空孔６２１ｈは切欠部６２１ｐの周辺に配設されている。従って、外形・外観の悪化・劣化を抑制し、商品価値の減少を防ぐことができる。
【００４１】
このように打ち抜いた金属板素材を絞り加工することにより、図４に或いは図５に断面で示すようなモータベース６２１ａ，モータステー６２１ｃ，ファンリング６２１ｅを前面板６２１から一体に成形することができる。
【００４２】
図５には、ファンリング６２１ｅが３枚表されている。上下のファンリング６２１ｅは図５の断面の向こう側しか表されていないので、半分だけが表されている。中段のファンリング６２１ｅ全体が表されているが、モータ等の後ろ側に位置しているため重なった部分は見えない。この上(または下)のファンリング６２１ｅと中段のファンリング６２１ｅとの間には切欠部６２１ｐが設けられている。
【００４３】
本実施形態ではファンリング６２１ｅは、モータステー６２１ｃの後ろ側（室外熱交換器７３側）では形成することができず、不連続部分、すなわち切欠部６２１ｐを有する。この点を改善しようと、ファンリング全体を別部品として合成樹脂等で製作しようとすると、大きなファンリングの成形型が必要となり、高価になると共に、その取扱，取付けに手間が掛かるようになる。
【００４４】
これに対して本実施形態のようにファンリング６２１ｅに不連続部分があったとしても、大半はモータベース６２１ａ，モータステー６２１ｃと一緒に前面板６２１から成形することができている。よって、ファンリング６２１ｅの不連続部だけを小さなリング部材６２１ｒを取付けて補い、補完することにより、ファンリングを一周全体として完成させることができる。
【００４５】
なお、小さなリング部材６２１ｒは部品，成形型とも小さくて済み、その取扱，取付けが容易となる。また、これを合成樹脂などで成形すればコストを抑えることができる。このリング部材６２１ｒについては図８に示している。６２１ｓを接着面として、図７のようにしてファンリング６２１ｅに取り付ければ良い。
【００４６】
これにより、ファンリング全体を別部品として合成樹脂等で製作した場合よりもコストを下げることができる。
【００４７】
なお、本実施形態では、モータステー６２１ｃをモータベース６２１ａの四隅からファンリング６２１ｅに向かって、送風モータ６３３の軸を中心とする半径方向に延伸している。これにより、モータステー６２１ｃの長さを最も短くでき、モータステー６２１ｃの剛性を上げることができる。これによって、モータステー６２１ｃにかかる、送風モータ６３３，室外ファンの荷重を最短経路でファンリングに伝達できる。よって、モータステー６２１ｃの断面が同一である場合、荷重を受けた際の変形量が小さくなる。延いては、強度を大きくすることができる。つまり、モータベース６２１ａを正多角形とし、その各頂点部分から半径方向にモータステー６２１ｃを伸ばせば上記のような効果を得ることができる。例えば、正六角形からモータステー６２１ｃを６本伸ばすこと等が考えられる。風量と強度との関係を見極め、適当な本数を選択すればよい。
【００４８】
また、室外ファン６３１のブレードの数は３枚とし、モータステー６２１ｃの数は４本とした。このように、室外ファン６３１のブレードの数とモータステー６２１ｃの本数とを違えたことにより、室外ファン６３１の運転で送られた風がモータステー６２１ｃに衝突して生ずる音が分散し、大きな音とならない。このため送風騒音が低減し、静かな室外機６を得ることができる。
【００４９】
また、実施例ではモータステーを９０度づつの等間隔の角度で配置した。これを不等間隔の角度で配置するのもよい。つまりモータベース６２１ａを正多角形とするのではなく、不等辺の多角形とするものである。これにより、室外ファン６３１の運転で送られた風がモータステー６２１ｃに衝突して生ずる音が分散し、前述と同様の効果が得られる。
【００５０】
また、図示の実施例ではモータステー６２１ｃをモータベース６２１ａからファンリング６２１ｅに向かって半径方向に延伸している。これは送風モータ６３３の軸心と正方形のモータベース６２１ａの各頂点とを結ぶ仮想線上にモータステー６２１ｃを重ねて配設しているように構成されている。斯様な構成に囚われず、当該仮想線とモータステー621cとに敢えて角度を持たせることも考えられる。あるいは各頂点から伸ばすモータステー
６２１ｃを複数とすることも考えられる。
【００５１】
なお、運転中は室外ファン６３１の振動が生ずるので、これをしっかり支持して振動が増大しないようにする必要が有る。また、運搬，輸送中は下向に、衝撃が加わることがあるので、特に下向きの力に対する強度を強くする場合も有る。このような場合、前記頂点からではなく、モータベース６２１ａの下の辺からモータステー６２１ｃを伸ばすことにより、下向きの力に対して強度を確保できる。
【００５２】
以上の説明では空気調和機用の室外機を説明してきたが、空気調和機用に限らず、ヒートポンプ給湯機の室外機でも良いし、その他の冷凍サイクル装置に用いる室外機でも良い。
【００５３】
以上説明したように本実施形態における室外機によれば、モータベース，モータステー，ファンリングを一枚の金属板から成形することで部品点数を削減でき、製造工数を削減することができる。
【００５４】
また、モータステーが送風ファンを跨がないでモータベースにつながっていることで、つまり、各特許文献と異なり、ファン下流にモータベースおよびモータステーを配することで、モータベースおよびモータステーの形成面を前面板とほぼ同一に保ち、絞りの加工量を抑えている。従って、深絞り用の高価な材料、あるいは厚い金属板を使用せずに成型加工ができる。このため、材料を節約でき、また、製造工数を削減できる室外機を得ることができる。
【００５５】
また、モータステー部分は基本的に絞り加工を施していないので、不要なモーメントがかからず、モータステーの強度を大きくしなくても済む。よって、モータステーの数を増やすことなく（或いは少なくでき）、或いは、幅広のモータステーを使用しないで済み、通風抵抗が大きくならない（或いは小さくすることができる）。この上で、補強部を設ければ、更に強度の高いモータステーを得ることができる。
【００５６】
また、補強部の絞り加工の深さよりも、ファンリングの絞り加工の深さの方を深くすることにより、逆に言えば、補強部の絞り加工の深さを浅くすることにより、成型加工が容易となる。このため、深絞り用の高価な材料、あるいは厚い金属板を使用しないで済む室外機を得ることができる。
【００５７】
また、ファンリングとモータステーとの交接部で該ファンリングが不連続部、すなわち切欠部を設けておけば、絞り加工の前に図３の如くに打ち抜き加工して、モータステーは絞り加工、ファンリング部は折り曲げ加工と浅い絞り加工の混合加工になり、容易に成形ができる。このため、立ち上がり寸法の大きいファンリング部を無理なく成形できる。
【００５８】
また、前記不連続部をリング部材で覆うことにより、リング部材でファンリングを欠損のない形にし、ファンリングの欠損により低下するファン性能を回復させるので風量，騒音などファン性能の悪化が防止される。このため、ファン性能の悪化無しに、ファンリング，モータステー，モータベースを一体成型加工できる。
【図面の簡単な説明】
【００５９】
【図１】空気調和機の構成図。
【図２】図１の室外機の正面図。
【図３】図２の室外機の送風開口部の打抜展開図。
【図４】図２の室外機の分解斜視図。
【図５】図２の室外機の断面図。
【図６】図３のモータステーの根元部拡大図。
【図７】図６のＡＡ断面図。
【図８】図７の切欠部に取付けるリング部材。
【符号の説明】
【００６０】
１…空気調和機、２…室内機、５…リモコン、６…室外機、８…接続配管、２１…筐体、２３…化粧枠、２５…前面パネル、２７…空気吸込口、２９…空気吹出口、３７…ドレン配管、３９…換気ダクト、６１…ベース、６２…外箱、６３…室外送風機、７３…室外熱交換器、３９６…受光部、３９７…表示部、６２１…前面板、６２１ａ…モータベース、６２１ｂ…モータベースの補強フランジ部、６２１ｃ…モータステー、６２１ｄ…モータステーの補強フランジ部、６２１ｅ…ファンリング、６２１ｆ…ファンリング先端、
６２１ｇ…開口基部、６２１ｈ…空孔、６２１ｊ…吹出開口、６２１ｍ…移行部、621ｎ…移行部の補強フランジ部、６２１ｐ…切欠部、６２１ｑ…モータステー中心線、621ｒ…リング部材、６２１ｓ…接着面、６２２…天板、６２３…側面板、６３１…室外ファン、６３３…送風モータ、６３５…送風機カバー。
【図１】
2007263415.tif 000003
【図２】
2007263415.tif 000004
【図３】
2007263415.tif 000005
【図４】
2007263415.tif 000006
【図５】
2007263415.tif 000007
【図６】
2007263415.tif 000008
【図７】
2007263415.tif 000009
【図８】
2007263415.tif 000010